(57)【要約】【課題】梱包箱の荷役作業性を損なうこと無しに、梱包箱のパレット部に設けた脚桁を補強して信頼性，耐候性の向上が図れるように改良した段ボール製のパレット一体型梱包箱を提供する。【解決手段】段ボール製梱包箱１の底板２をパレットのデッキボード兼用として、該底板２の下面に複数枚の段ボールシート６ａを貼り合わせた角柱状の積層体になる複数本の脚桁６を左右に敷設してパレット部７を形成したパレット一体型の梱包箱において、梱包箱１の底板２の下面中央域に荷役機械のフォークを差込む空間１０を残して、その左右外側に並ぶ脚桁６の間に跨がってその先端の下面に段ボール板で作られた保護プレート９を貼着する。【選択図】図１
2013006622.tif 000002
【特許請求の範囲】
【請求項１】
重量物品の荷役，輸送に用いる梱包箱であり、段ボール製梱包箱の底板をパレットのデッキボード兼用として、該底板の下面に、複数枚の段ボールシートを貼り合わせた角柱状の積層体になる複数本の脚桁を左右平行に振り分けて敷設した段ボール製のパレット一体型梱包箱において、
前記脚桁の間に跨がってその底面に段ボール製の保護プレートを貼着したことを特徴とする段ボール製のパレット一体型梱包箱。
【請求項２】
請求項１に記載の梱包箱において、保護プレートを梱包箱の底板に連ねて一体に延長形成し、この保護プレートを脚桁に巻き付けて貼着したことを特徴とする段ボール製のパレット一体型梱包箱。
【請求項３】
請求書１または２のいずれかの項に記載の梱包箱において、梱包箱の底板の下面中央域に荷役機械のフォークを差込む空間を残して、保護プレートを前記空間の外側に並ぶ脚桁の間に跨がって貼着したことを特徴とする段ボール製のパレット一体形梱包箱。
【発明の詳細な説明】
【技術分野】
【０００１】
本発明は、総重量が数百Ｋｇに及ぶ電気機器などの重量物品の荷役，運搬に用いる段ボール製の梱包箱に関する。
【背景技術】
【０００２】
頭記の段ボール製梱包箱として、梱包箱の底板をパレットのデッキボード兼用として、この底板の下面に複数枚の段ボールシートを貼り合わせた積層体からなる角柱形の脚桁を左右に敷設してパレット部を形成したパレット一体型の梱包箱が知られており（例えば、特許文献１参照）、その従来構造を図４，図５に示す。
【０００３】
各図において、段ボール製の梱包箱１は、トレー形状の底板２と、底板２の上に嵌め込み載置した胴枠３と、胴枠３に被せた上蓋４と、前記底板２をパレットのデッキボード兼用として、その下面に帯状の段ボールシート６ａを複数枚貼り合わせた積層体になる４本の脚桁６を左右平行に振り分けて敷設したパレット部７とからなり、この梱包箱１に内容物（重量物品）を収容して梱包バンド５で結束するようにしている。
【０００４】
ここで、前記脚桁６を構成する各層の段ボールシート６ａは、周知のように波形の中芯（フルート）を挟んで表裏両面にライナーを貼り付けた構造であり、その曲げ強度は中芯の向きによって大きく異なる。すなわち、中芯の流れ目と平行方向では折り曲げ易く、中芯の流れ目に垂直方向は曲げ剛性が高い。
【０００５】
一方、内容物を収容した前記の梱包箱１を床面に置いた状態では、内容物の重量が脚桁６に垂直圧縮荷重として加わることから、図４（ｂ）で示すように、脚桁６を形成する各層の段ボールシート６ａはその中芯の流れ目と直交方向の端面（通称“セル面”）を上下に向けて貼り合わせた上で、脚桁６の上端面に接着剤を塗布して梱包箱１の底板２に貼着している。
【０００６】
そして、重量物品を収容した梱包箱１の荷役作業にはフォークリフト，ハンドリフトなどの荷役機械を使い、図４（ａ）で示すように荷役機械のフォーク８を梱包箱１の前方からパレット部７の脚桁６の間に差し込んで持ち上げ，荷降ろしの荷役作業を行うようにしている。
【先行技術文献】
【特許文献】
【０００７】
【特許文献１】特開平７−３１５４７４号公報（図１〜図３）
【発明の概要】
【発明が解決しようとする課題】
【０００８】
前記構成になる段ボール製のパレット一体型梱包箱は、軽量，安価で取扱性に優れ、かつ資源リサイクルにも対応可能な利点がある反面、実使用面では梱包箱の底面に敷設した脚桁の強度については次記のような課題がある。
【０００９】
すなわち、図４に示した従来構造では、脚桁６の底面は各層の段ボールシート６ａの小口面（段ボール板の裁断面）がそのまま露呈していることから、荷役作業中に脚桁６の底面が凹凸な地面，アスファルト面に接したまま梱包箱１を横に擦り動かしたり、脚桁６の間に差し込んだフォーク８を脚桁６の側面に当てて保管場所に載置した梱包箱１を横方向に動かしたりすると、横方向の荷重を受けた脚桁６は底板２との間の接着面が剥がれて脱落したりする事例が報告されている。そのほか、荷役作業中に梱包箱１を水溜まりがある地面に置いたりすると、脚桁６は地面に接する底面（小口面）から水分を吸い上げて剛性，強度が極端に低下したり、段ボールシート６ａ貼り合わせ面が剥離したりするおそれがある。
【００１０】
本発明は上記の点に鑑みなされたものであり、その目的は梱包箱の荷役作業性を損なうこと無しに、梱包箱のパレット部に設けた脚桁を補強して信頼性，耐候性の向上が図れるように改良した段ボール製のパレット一体型梱包箱を提供することにある。
【課題を解決するための手段】
【００１１】
上記目的を達成するために、本発明によれば、段ボール製梱包箱の底板をパレットのデッキボード兼用として、該底板の下面に複数枚の段ボールシートを貼り合わせた角柱状の積層体になる複数本の脚桁を左右平行に振り分けて敷設したパレット一体型の梱包箱において、
前記脚桁の間に跨がってその下面に段ボール製の保護プレートを貼着するものとし（請求項１）、その保護プレートは具体的には次記態様で構成することができる。
（１）保護プレートを梱包箱の底板に連ねて一体に延長形成し、この保護プレートを脚桁に巻き付けて貼着する（請求項２）。
（２）梱包箱の底板の下面中央域に荷役機械のフォークを差込む空間を残して、保護プレートを前記空間の外側に並ぶ脚桁の間に跨がって貼着する（請求項３）。
【発明の効果】
【００１２】
上記構成によれば、パレット部の下面に敷設した脚桁の底面を段ボール製の保護プレートが覆い、さらにこの保護プレートが左右に並ぶ複数の脚桁の間を連結してラーメン構造の骨組を形成している。
【００１３】
したがって、荷役作業中に地面に置かれた梱包箱を左右に動かした場合には保護プレートの平坦な板面が地表を滑動し、従来構造のように脚桁の底面（小口面）が地面に直接接して摺動抵抗を受けることがなく、しかも保護プレートは左右に並ぶ脚桁の間を連結する骨組みの梁部材として機能する。これにより脚桁の横荷重に対する強度が増強され、従来構造で問題となっていた脚桁の剥がれ，脱落を効果的に防ぐことができる。また、梱包箱を置く地面に多少の水溜まりがあっても、脚桁の底面（小口面）から直接水分を吸い上げることがなく、これにより水分の滲み込みに伴う脚桁の強度低下，および積層した段ボールシートの接着面剥離を防いで梱包箱の信頼性が向上する。
【００１４】
また、保護プレートを梱包箱の底板に連ねて一体に延長形成し、この保護プレートを脚桁に巻き付けて貼着したことにより、パレット組立体の剛性，強度をより一層高めることができる。
【００１５】
さらに、パレット部の下面中央域に荷役機械のフォークを差込む空間を残して、保護プレートを外側に並ぶ脚桁の間に跨がって貼着することで、車輪付きのフォークを備えたハンドリフトにも支障なく対応して梱包箱の荷役作業が行える。
【図面の簡単な説明】
【００１６】
【図１】本発明の実施例１による段ボール製のパレット一体型梱包箱の構成図であって、（ａ）は梱包箱全体の荷姿を表す斜視図、（ｂ）は（ａ）におけるパレット部の正面図である。
【図２】図１における保護プレートで相互連結された脚桁の詳細構造を表す部分拡大斜視図である。
【図３】本発明の実施例２に係わるパレット組立構造を表す正面図である。
【図４】従来のパレット一体型梱包箱の構成図であって、（ａ）は梱包箱全体の荷姿を表す斜視図、（ｂ）は（ａ）における脚桁の部分拡大斜視図である。
【図５】図４（ａ）の分解斜視図である。
【発明を実施するための形態】
【００１７】
以下、本発明の実施の形態を図１，図２、および図３に示す実施例に基づいて説明する。なお、実施例の図中で図４，図５に対応する部材には同じ符号を付してその説明は省略する。
【実施例１】
【００１８】
図１，図２は本発明の請求項１，３に対応する実施例であり、その梱包箱１は基本的に図４に示した従来構造と同一であるが、図示実施例の構造では梱包箱１のパレット部７に設けた脚桁６の間に跨がってその先端面には、脚桁６を補強する保護プレート９が新たに敷設されている。
【００１９】
ここで、前記保護プレート９は脚桁６の奥行き長さに合わせて裁断した段ボール板であり、その中芯（フルート）の流れ目を図２のような向きに定めた上で脚桁６の底面に接着剤で貼着している。また、この保護プレート９は、左右平行に振り分けてパレット部７の下面に敷設した４本の脚桁６のうち、図示のように内側に並ぶ２本の脚桁６の間は除いて、左右両端とその内側に並ぶ２本の脚桁６を組としてその間に跨がって貼着し、パレット部７の下面中央域にハンドリフトのフォーク８（図４（ａ）参照）の差込み空間１０を確保するようにしている。
【００２０】
上記の構成では、パレット部７の下面に敷設した脚桁６は、その底面が段ボール製の平坦な保護プレート９で覆われ、かつこの保護プレート９が梁部材として左右に並ぶ脚桁６が相互連結されている。したがって、荷役作業中に地面に置かれた梱包箱１を左右に擦り動かした場合には保護プレート９の板面が地表を滑動し、図４に示した従来構造のように脚桁６の底面（小口面）が地面に直接接して摺動することもなく、かつ保護プレート９を介して相互連結された脚桁６はその実効強度が高まり、従来構造のようにパレット部７の底板２に貼着した脚桁６が横方向の応力受けて剥離，脱落するのを防ぐことができる。また、梱包箱１を置く地面に多少の水溜まりがあっても、脚桁６の底面（小口面）から直接水分を吸い上げることがなく、これにより水分の浸透に起因する脚桁６の強度低下，および段ボールシート６ａの接着面剥離を効果的に防止して梱包箱の信頼性向上が図れる。
【００２１】
また、パレット部７の下面中央域に荷役機械のフォーク８（図４（ａ）参照）を差込む空間１０を残して、その外側に並ぶ脚桁６の間に保護プレート９を貼着することで、保護プレート９に邪魔されることなしに車輪付きのフォークを備えたハンドリフトを用いて梱包箱１の荷役作業を行うことができる。
【実施例２】
【００２２】
次に、本発明の請求項２に対応する実施例２の構成を図３に示す。
先記の実施例１では、段ボール製の保護プレート９がパレット部７の底板２とは別の部品として作製し、これを脚桁６の間に跨がってその底面に貼着している。これに対して、図３の実施例２では、保護プレート９がフラップとして底板２の外側方に延長形成されており、この保護プレート９を図示のように２本の脚桁６の周囲に巻き付けて接着剤で貼着している。
【００２３】
この構成によれば、先記実施例１のようにパレット部７の底板２とは別に裁断した段ボール板の保護プレート９を左右に並ぶ脚桁６に跨がってその先端側の底面に貼着した構造と比べて、パレット部７の組立強度，および脚桁６の貼着強度をより一層高めて梱包箱１の信頼性向上が図れる。
【符号の説明】
【００２４】
１    梱包箱
２    底板
３    胴枠
４    上蓋
６    脚桁
６ａ  段ボールシート
７    パレット部
８    荷役機械のフォーク
９    保護プレート
１０    フォーク差込み空間
【図１】
2013006622.tif 000003
【図２】
2013006622.tif 000004
【図３】
2013006622.tif 000005
【図４】
2013006622.tif 000006
【図５】
2013006622.tif 000007